(57)【要約】【課題】  複数の電磁トランスにより発生する磁界を抑えることができる放電灯点灯装置を提供する。【解決手段】  放電灯点灯装置１において、複数の放電灯３にそれぞれ対応させて設けられ、放電灯３に接続された２次巻線５ｃとその２次巻線５ｃと同じ巻線方向である１次巻線５ｂとをそれぞれ有する複数の電磁トランス５と、それらの電磁トランス５の各々の１次巻線５ｂに接続されて設けられ、複数の電磁トランス５の各々の１次巻線５ｂに流す電流の方向を電磁トランス５毎に順次反転させて設定する電流方向設定回路１１とを備える。【選択図】    図３
2007095353.tif 000002
【特許請求の範囲】
【請求項１】
複数の放電灯にそれぞれ対応させて設けられ、前記放電灯に接続された２次巻線と前記２次巻線と同じ巻線方向である１次巻線とをそれぞれ有する複数の電磁トランスと、
前記複数の電磁トランスの各々の前記１次巻線に接続されて設けられ、前記複数の電磁トランスの各々の前記１次巻線に流す電流の方向を前記電磁トランス毎に順次反転させて設定する電流方向設定回路と、
を備えることを特徴とする放電灯点灯装置。
【請求項２】
複数の放電灯にそれぞれ対応させて設けられ、前記放電灯に接続された２次巻線と前記２次巻線と同じ巻線方向である１次巻線とをそれぞれ有する複数の電磁トランスと、
前記複数の電磁トランスの各々の前記１次巻線に接続されて設けられ、前記複数の電磁トランスを複数のトランス群に分割し、前記複数の電磁トランスの各々の前記１次巻線に流す電流の方向を前記トランス群毎に順次反転させて設定する電流方向設定回路と、
を備えることを特徴とする放電灯点灯装置。
【請求項３】
前記複数の放電灯を備えることを特徴とする請求項１又は２に記載の放電灯点灯装置。
【発明の詳細な説明】
【技術分野】
【０００１】
本発明は、放電灯点灯装置に関する。
【背景技術】
【０００２】
放電灯点灯装置は、例えば、携帯情報端末、コンピュータ及びテレビ等に使用する液晶表示装置用の直下型バックライト装置として用いられている。このような放電灯点灯装置としては、複数の放電灯に印加する電圧波形を放電灯毎に位相反転させることにより、高圧側で発生する電界による表示装置に対する影響（電界ノイズ）を抑える放電灯点灯装置が提案されている。また、放電灯又は接続線による磁界の影響（磁界ノイズ）を抑える放電灯点灯装置も提案されている（例えば、特許文献１参照）。
【０００３】
位相反転型の放電灯点灯装置１０１は、図７に示すように、２本毎に直列接続された複数の放電灯１０２と、各放電灯１０２にそれぞれ接続された複数の電磁トランス１０３とを備えている。各電磁トランス１０３は高周波電源１０４に接続される。
【０００４】
電磁トランス１０３は、磁心となるコア１０３ａ、そのコア１０３ａに巻かれた１次巻線１０３ｂ及び２次巻線１０３ｃを有している。各電磁トランス１０３の１次巻線１０３ｂの端子Ｓ１０１は高周波電源１０４の電源端子Ｄ１０１にそれぞれ接続されており、各電磁トランス１０３の１次巻線１０３ｂの端子Ｓ１０２は高周波電源１０４の電源端子Ｄ１０２にそれぞれ接続されている。また、電磁トランス１０３の２次巻線１０３ｃの高圧端子は放電灯３の高圧側電極に接続されており、電磁トランス１０３の２次巻線１０３ｃの低圧端子は接地されている。なお、隣接する２つの電磁トランス１０３において、各々の１次巻線１０３ｂの巻線方向は互いに同じであり、各々の２次巻線１０３ｃの巻線方向は逆になっている（図７中の矢印参照）。
【０００５】
このような構成の放電灯点灯装置１０１において、高周波電源１０４から各電磁トランス１０３の１次巻線１０３ｂに電流が供給されると、各電磁トランス１０３の１次巻線１０３ｂには、同じ方向に電流が流れる。このとき、隣接する２つの電磁トランス１０３の各々の２次巻線１０３ｃの巻線方向は逆になっているため、各電磁トランス１０３の２次巻線１０３ｃには、逆方向に電流が流れる。これにより、隣接する２つの放電灯１０２に印加される各電圧波形は位相反転し、高圧側で発生する電界による表示装置に対する影響が抑えられる。
【０００６】
また、隣接する２つの電磁トランス１０３の各々の２次巻線１０３ｃにより発生する磁界の方向が異なり、それらの磁界は互いに打ち消し合うため、高圧側で発生する磁界は抑えられる。一方、隣接する２つの電磁トランス１０３の各々の１次巻線１０３ｂの巻線方向は同じであり、その各々の１次巻線１０３ｂにより発生する磁界方向は同じであるため、低圧側で発生する磁界は抑えられていない。この低圧側で発生する磁界は微弱であるため、表示装置に対して大きな影響を与えることはないとされている。
【特許文献１】特開２０００−３０８７９号公報
【発明の開示】
【発明が解決しようとする課題】
【０００７】
しかしながら、近年の表示装置の大画面化に伴って、放電灯１０２の長さが長くなり、良好な放電灯１０２の点灯のために必要とする電圧は高くなってきているため、表示装置に対する低圧側で発生する磁界の影響も顕著になってきている。例えば、その低圧側で発生する磁界によって、ビートノイズ（縞模様）等が表示装置に発生してしまう。
【０００８】
本発明は、上記に鑑みてなされたものであり、その目的は、複数の電磁トランスにより発生する磁界を抑えることができる放電灯点灯装置を提供することである。
【課題を解決するための手段】
【０００９】
本発明の実施の形態に係る第１の特徴は、放電灯点灯装置において、複数の放電灯にそれぞれ対応させて設けられ、放電灯に接続された２次巻線とその２次巻線と同じ巻線方向である１次巻線とをそれぞれ有する複数の電磁トランスと、複数の電磁トランスの各々の１次巻線に接続されて設けられ、複数の電磁トランスの各々の１次巻線に流す電流の方向を電磁トランス毎に順次反転させて設定する電流方向設定回路とを備えることである。
【００１０】
本発明の実施の形態に係る第１の特徴では、複数の電磁トランスの各々の１次巻線に流す電流の方向を電磁トランス毎に順次反転させて設定する電流方向設定回路を設けることによって、隣接する電磁トランスにより発生する磁界の方向が逆方向になり、それらの磁界は互いに打ち消し合うことになる。
【００１１】
本発明の実施の形態に係る第２の特徴は、放電灯点灯装置において、複数の放電灯にそれぞれ対応させて設けられ、放電灯に接続された２次巻線とその２次巻線と同じ巻線方向である１次巻線とをそれぞれ有する複数の電磁トランスと、複数の電磁トランスの各々の１次巻線に接続されて設けられ、複数の電磁トランスを複数のトランス群に分割し、複数の電磁トランスの各々の１次巻線に流す電流の方向をトランス群毎に順次反転させて設定する電流方向設定回路とを備えることである。
【００１２】
本発明の実施の形態に係る第２の特徴では、複数の電磁トランスの各々の１次巻線に流す電流の方向を複数のトランス群毎に順次反転させて設定する電流方向設定回路を設けることによって、隣接するトランス群により発生する磁界の方向が逆方向になり、それらの磁界は互いに打ち消し合うことになる。
【発明の効果】
【００１３】
本発明によれば、複数の電磁トランスにより発生する磁界を抑えることができる放電灯点灯装置を提供することができる。
【発明を実施するための最良の形態】
【００１４】
（第１の実施の形態）
本発明の第１の実施の形態について図１ないし図４を参照して説明する。
【００１５】
図１及び図２に示すように、本発明の第１の実施の形態に係る放電灯点灯装置１は、本体ケース２と、本体ケース２の内部に設けられた複数の放電灯３と、本体ケース２の外面に設けられたインバータ基板４と、インバータ基板４上に設けられ各放電灯３にそれぞれ接続された複数の電磁トランス５と、本体ケース２に設けられ各放電灯３からの光を拡散させる拡散板６とを備えている。この拡散板６の外面には、例えば、液晶パネル等の表示パネルが設けられる。
【００１６】
図３に示すように、各放電灯３は、各電磁トランス５及びそれらの電磁トランス５に流す電流の方向を設定する電流方向設定回路１１を介して高周波電源１２にそれぞれ接続されている。また、各放電灯３は２本毎に直列接続されている。各放電灯３の高圧側電極は各電磁トランス５にそれぞれ接続されており、各放電灯３の低圧側電極は接地されている。なお、放電灯３としては、例えば冷陰極放電灯を用いる。
【００１７】
電磁トランス５は、磁心となるコア５ａと、そのコア５ａに巻かれた１次巻線５ｂと、コア５ａに巻かれた２次巻線５ｃとを有している。１次巻線５ｂ及び２次巻線５ｃの巻線方向は互いに同じであり（図３中の矢印方向）、２次巻線５ｃの巻数は１次巻線５ｂの巻数より多い。これにより、電磁トランス５は昇圧用のトランスとなる。電磁トランス５の２次巻線５ｃの高圧端子は放電灯３の高圧側電極に接続されており、電磁トランス５の２次巻線５ｃの低圧端子は接地されている。
【００１８】
電流方向設定回路１１は、各電磁トランス５の各々の１次巻線５ｂに接続されて設けられている。この電流方向設定回路１１は、各電磁トランス５の各々の１次巻線５ｂに流す電流の方向を電磁トランス５毎に順次反転させて設定する回路である。電流方向設定回路１１は、電磁トランス５の１次巻線５ｂの第１端子Ｓ１とそれに隣接する電磁トランス５の１次巻線５ｂの第２端子Ｓ２とを高周波電源１２の電源端子Ｄ１に接続する。さらに、電流方向設定回路１１は、電磁トランス５の１次巻線５ｂの第２端子Ｓ２とそれに隣接する電磁トランス５の１次巻線５ｂの第１端子Ｓ１とを高周波電源１２の電源端子Ｄ２に接続する。これにより、隣接する２つの電磁トランス５の各々の１次巻線５ｂには、逆方向の電流が流れることになる。
【００１９】
このような構成の放電灯点灯装置１において、高周波電源１２から各電磁トランス５の１次巻線５ｂに電流が供給されると、隣接する電磁トランス５の各々の１次巻線５ｂには、逆方向に電流が流れる。それに応じて、隣接する電磁トランス５の各々の２次巻線５ｃにも、逆方向に電流が流れる。これにより、互いに位相反転した各電圧波形が隣接する２つの放電灯３にそれぞれ印加され、各放電灯３は点灯する。
【００２０】
このような点灯状態の放電灯点灯装置１には、図２に示すように、各電磁トランス５により磁界（図２中点線参照）が発生する。このとき、隣接する２つの電磁トランス５の各々の１次巻線５ｂの巻線方向は互いに同じであり、隣接する２つの電磁トランス５の各々の１次巻線５ｂに流れる電流の方向は逆になるため、図４に示すように、電磁トランス５の１次巻線５ｂにより発生する磁界の方向（図４中の矢印Ａ）は、それに隣接する電磁トランス５の１次巻線５ｂにより発生する磁界の方向（図４中の矢印Ｂ）と逆になる。これにより、互いの磁界が打ち消し合うことになるので、低圧側で発生する磁界は低減する。
【００２１】
また、同様に、隣接する２つの電磁トランス５の各々の２次巻線５ｃの巻線方向は互いに同じであり、隣接する２つの電磁トランス５の各々の２次巻線５ｂに流れる電流の方向は逆になるため、図４に示すように、電磁トランス５の２次巻線５ｃにより発生する磁界の方向（図４中の矢印Ａ）も、それに隣接する電磁トランス５の２次巻線５ｃにより発生する磁界の方向（図４中の矢印Ｂ）と逆になる。これにより、互いの磁界が打ち消し合うことになるので、高圧側で発生する磁界も低減する。
【００２２】
以上説明したように、第１の実施の形態によれば、複数の電磁トランス５の各々の１次巻線５ｂに流す電流の方向を電磁トランス５毎に順次反転させて設定する電流方向設定回路１１を設けることによって、隣接する電磁トランス５による磁界の方向が逆方向となり、互いの磁界は打ち消し合うことになるので、各電磁トランス５から発生する磁界を全体として抑えることができる。その結果として、放電灯点灯装置１の周囲に設けられた装置に対する磁界による影響を抑えることができ、例えば放電灯点灯装置１に設けられた表示パネルにビートノイズ（縞模様）が発生することを防止することができる。
【００２３】
特に、複数の電磁トランス５の各々の１次巻線５ｂに流す電流の方向を電磁トランス５毎に順次反転させることによって、隣接する電磁トランス５が互いに磁界を打ち消し合うので、各電磁トランス５から発生する磁界を全体として効率良く確実に抑えることができる。さらに、全ての電磁トランス５に巻線方向が同じ電磁トランス５を用いることが可能になるので、製造工程の簡略化を実現することができる。
【００２４】
（第２の実施の形態）
本発明の第２の実施の形態について図５及び図６を参照して説明する。
【００２５】
本発明の第２の実施の形態は、基本的に第１の実施の形態と同様である。第２の実施の形態では、第１の実施の形態との相違点について説明する。なお、第１の実施の形態で説明した部分と同一部分は同一符号で示し、その説明は省略する。
【００２６】
図５に示すように、電流方向設定回路１１は、複数の電磁トランス５を複数のトランス群Ｔに分割し、各電磁トランス５の各々の１次巻線５ｂに流す電流の方向をトランス群Ｔ毎に順次反転させて設定する。なお、第２の実施の形態では、電流方向設定回路１１は、２つの電磁トランス５を１つのトランス群Ｔとして複数の電磁トランス５を複数のトランス群Ｔに分割する。これにより、２つの電磁トランス５が１つのトランス群Ｔとして扱われることになる。
【００２７】
電流方向設定回路１１は、トランス群Ｔの各電磁トランス５の１次巻線５ｂの第１端子Ｓ１とそれに隣接するトランス群Ｔの各電磁トランス５の１次巻線５ｂの第２端子Ｓ２とを高周波電源１２の電源端子Ｄ１に接続する。さらに、電流方向設定回路１１は、トランス群Ｔの各電磁トランス５の１次巻線５ｂの第２端子Ｓ２とそれに隣接するトランス群Ｔの各電磁トランス５の１次巻線５ｂの第１端子Ｓ１とを高周波電源１２の電源端子Ｄ２に接続する。これにより、隣接する２つのトランス群Ｔの各電磁トランス５の１次巻線５ｂには、逆方向の電流が流れることになる。
【００２８】
このような構成の放電灯点灯装置１において、高周波電源１２から各電磁トランス５の１次巻線５ｂに電流が供給されると、隣接するトランス群Ｔの各電磁トランス５の１次巻線５ｂには、逆方向に電流が流れる。それに応じて、隣接するトランス群Ｔの各電磁トランス５の２次巻線５ｃにも、逆方向に電流が流れる。これにより、互いに位相反転した各電圧波形が隣接する２つの放電灯３にそれぞれ印加され、各放電灯３は点灯する。
【００２９】
このような点灯状態の放電灯点灯装置１には、図２に示すように、各電磁トランス５により磁界（図２中点線参照）が発生する。このとき、隣接する２つのトランス群Ｔの各電磁トランス５の１次巻線５ｂの巻線方向は互いに同じであり、隣接する２つのトランス群Ｔの各電磁トランス５の１次巻線５ｂに流れる電流の方向は逆になるため、図６に示すように、トランス群Ｔの各電磁トランス５の１次巻線５ｂにより発生する磁界の方向（図６中の矢印Ａ）は、それに隣接するトランス群Ｔの各電磁トランス５の１次巻線５ｂにより発生する磁界の方向（図６中の矢印Ｂ）と逆になる。これにより、互いの磁界が打ち消し合うことになるので、低圧側で発生する磁界は低減する。
【００３０】
また、同様に、隣接する２つのトランス群Ｔの各電磁トランス５の２次巻線５ｃの巻線方向は互いに同じであり、隣接する２つのトランス群Ｔの各電磁トランス５の１次巻線５ｂに流れる電流の方向は逆になるため、図６に示すように、トランス群Ｔの各電磁トランス５の２次巻線５ｃにより発生する磁界の方向（図６中の矢印Ａ）も、それに隣接するトランス群Ｔの各電磁トランス５の２次巻線５ｃにより発生する磁界の方向（図６中の矢印Ｂ）と逆になる。これにより、互いの磁界が打ち消し合うことになるので、高圧側で発生する磁界も低減する。
【００３１】
以上説明したように、第２の実施の形態によれば、複数の電磁トランス５の各々の１次巻線５ｂに流す電流の方向をトランス群Ｔ毎に、すなわち２つの電磁トランス５毎に順次反転させて設定する電流方向設定回路１１を設けることによって、隣接するトランス群Ｔによる磁界の方向が逆方向となり、互いの磁界は打ち消し合うことになるので、各電磁トランス５から発生する磁界を全体として抑えることができる。その結果として、放電灯点灯装置１の周囲に設けられた装置に対する磁界による影響を抑えることができ、例えば放電灯点灯装置１に設けられた表示パネル等にビートノイズ（縞模様）が発生することを防止することができる。
【００３２】
また、各電磁トランス５の１次巻線５ｂに流す電流の方向を２つの電磁トランス５毎に順次反転させることによって、全ての電磁トランス５に巻線方向が同じ電磁トランス５を用いることが可能になるので、製造工程の簡略化を実現することができる。
【００３３】
（他の実施の形態）
なお、本発明は、前述の実施の形態に限るものではなく、その要旨を逸脱しない範囲において種々変更可能である。
【００３４】
例えば、前述の実施の形態においては、放電灯３として直管を用いているが、これに限るものではなく、例えばＵ字形やＬ字形の屈曲管を用いるようにしてもよい。
【００３５】
また、前述の実施の形態においては、２つの電磁トランス５を１つのトランス群Ｔとして複数の電磁トランス５を複数のトランス群Ｔに分割しているが、これに限るものではなく、例えば、３つの電磁トランス５を１つのトランス群Ｔとして複数の電磁トランス５を複数のトランス群Ｔに分割するようにしてもよい。
【図面の簡単な説明】
【００３６】
【図１】本発明の第１の実施の形態に係る放電灯点灯装置の概略構成を示す平面図である。
【図２】図１に示す放電灯点灯装置のＡ−Ａ線断面図である。
【図３】図１に示す放電灯点灯装置が備える各部の電気的接続を示す平面図である。
【図４】図１に示す放電灯点灯装置のＢ−Ｂ線断面図である。
【図５】本発明の第２の実施の形態に係る放電灯点灯装置が備える各部の電気的接続を示す平面図である。
【図６】図５に示す放電灯点灯装置の概略構成を示す断面図である。
【図７】先行技術に係る放電灯点灯装置が備える各部の電気的接続を示す平面図である。
【符号の説明】
【００３７】
１      放電灯点灯装置
３      放電灯
５      電磁トランス
５ｂ    １次巻線
５ｃ    ２次巻線
１１    電流方向設定回路
Ｔ      トランス群
【図１】
2007095353.tif 000003
【図２】
2007095353.tif 000004
【図３】
2007095353.tif 000005
【図４】
2007095353.tif 000006
【図５】
2007095353.tif 000007
【図６】
2007095353.tif 000008
【図７】
2007095353.tif 000009